(57)【要約】【課題】過去の視聴履歴を元にコンテンツを推薦する方法では、視聴履歴を保存するためのメモリが必要となる上、同じコンテンツが推薦されやすいという問題点があった。【解決手段】現在録画されている番組情報からキーワードを抽出するためのキーワード抽出部１０７と、キーワードをサーバーに送信し関連したビデオオンデマンドコンテンツ情報を取得する通信部１０４と、ビデオオンデマンドコンテンツ情報から録画コンテンツ情報と重複したものを除去する重複コンテンツ除去部１１０と、録画コンテンツとビデオオンデマンドコンテンツを同一画面で合成表示するための、コンテンツ一覧合成部１１１より構成される。【選択図】図１
2007124465.tif 000002
【特許請求の範囲】
【請求項１】
蓄積手段に記録された情報からキーワードを抽出する抽出手段と、前記抽出手段で抽出したキーワードをサーバーに送信して、前記サーバーからキーワードに関連した情報の取得を行う通信手段と、前記通信手段で取得した情報から前記蓄積手段に記録された情報と重複したものを除去する除去手段と、前記除去手段の出力と前記蓄積手段で記録された情報を合成する合成手段を備えたことを特徴とするデータ処理装置。
【請求項２】
前記蓄積手段に記録された情報は録画コンテンツであり、前記サーバーから取得する情報はビデオオンデマンドの情報であることを特徴とする、請求項１に記載のデータ処理装置。
【請求項３】
前記通信手段で取得した情報からキーワードを抽出する第２の抽出手段を備え、前記第２の抽出手段で抽出したキーワードを第２のサーバーに送信して、前記第２のサーバーからキーワードに関連した情報の取得を行うことを特徴とする、請求項１に記載のデータ処理装置。
【請求項４】
前記蓄積手段に記録された情報は録画コンテンツであり、前記サーバーから取得する情報は録画コンテンツの情報であり、前記第２のサーバーから取得する情報はビデオオンデマンドの情報であることを特徴とする、請求項３に記載のデータ処理装置。
【請求項５】
前記抽出手段で抽出されるキーワードは、録画コンテンツに関する、チャンネル、開始終了日時、地域情報であることを特徴とする、請求項４に記載のデータ処理装置。
【請求項６】
電子番組表管理手段をさらに備え、前記電子番組表管理手段から録画コンテンツに関する情報を取得して前記蓄積手段に記録しておくことを特徴とする、請求項１から請求項５のいずれかの請求項に記載のデータ処理装置。
【請求項７】
請求項１から請求項６のいずれかの請求項に記載のデータ処理装置に、外部に設置したサーバーを含めたシステム。
【請求項８】
前記サーバーと前記第２のサーバーが同一サーバーであることを特徴とする、請求項３から請求項７のいずれかの請求項に記載のデータ処理装置。
【請求項９】
蓄積手段に記録された情報からキーワードを抽出する抽出ステップと、前記抽出ステップで抽出したキーワードをサーバーに送信して、前記サーバーからキーワードに関連した情報の取得を行う通信ステップと、前記通信ステップで取得した情報から前記蓄積手段に記録された情報と重複したものを除去する除去ステップと、前記除去ステップの出力と前記蓄積手段で記録された情報を合成する合成ステップを有することを特徴とするデータ処理方法。
【請求項１０】
蓄積手段に記録された情報からキーワードを抽出する抽出ステップと、前記抽出ステップで抽出したキーワードをサーバーに送信して、前記サーバーからキーワードに関連した情報の取得を行う通信ステップと、前記通信ステップで取得した情報から第２のキーワードを抽出する第２の抽出ステップと、前記第２の抽出ステップで抽出したキーワードを第２のサーバーに送信して、前記第２のサーバーからキーワードに関連した情報の取得を行う第２の通信ステップと、前記第２の通信ステップで取得した情報から前記蓄積手段に記録された情報と重複したものを除去する除去ステップと、前記除去ステップの出力と前記蓄積手段で記録された情報を合成する合成ステップを有することを特徴とするデータ処理方法。
【請求項１１】
前記サーバーと前記第２のサーバーが同一サーバーであることを特徴とする、請求項１０に記載のデータ処理方法。
【発明の詳細な説明】
【技術分野】
【０００１】
本発明は、録画再生装置におけるビデオオンデマンドコンテンツの推薦方法に関するものである。
【背景技術】
【０００２】
従来、推薦コンテンツ表示装置としては、図５に示すようなものがあった（例えば、特許文献１参照。）。図５において推薦コンテンツ表示装置は、ディジタル放送受信装置により記録された外部記録媒体５０１から番組情報の取り込みを行う番組情報入力部５０２と、入力された情報から視聴者の嗜好を分析し、分析した結果にしたがって、コンテンツ推薦情報を生成する嗜好分析推薦情報生成部５０３と、推薦情報生成部において生成されたコンテンツ推薦情報に従って、コンテンツ推薦情報を表示させる推薦情報表示部５０４から構成される。
【０００３】
上記構成により、使用者が膨大なコンテンツの中から自分が必要とするコンテンツを選ぶ負荷を低減させ、使用者の嗜好を反映した使用者の好む映像コンテンツを推薦していた。
【特許文献１】特開２００５−９４１１５号公報
【発明の開示】
【発明が解決しようとする課題】
【０００４】
しかしながら、前記従来の推薦コンテンツ表示装置では、過去の視聴履歴を保存しておかなければならず蓄積用に十分なメモリが必要となり、コストがかかる。また、過去の視聴履歴の保存はプライバシー保護の観点から問題が多い。さらに、過去の視聴傾向から推薦する方法では、毎回同じコンテンツを推薦してしまう可能性がある。
【０００５】
本発明では、過去の視聴履歴を蓄積することなく、使用者が今興味を持っているビデオオンデマンドコンテンツを推薦することを目的とする。
【課題を解決するための手段】
【０００６】
前記従来の課題を解決するため、本発明のデータ処理装置は、現在録画されている番組に関する情報からキーワードを抽出するための抽出手段と、抽出したキーワードをサーバーに送りキーワードに関連するビデオオンデマンドコンテンツ情報を取得する通信手段と、ビデオオンデマンドコンテンツ情報から録画コンテンツと重複したものを除去する除去手段と、録画コンテンツとビデオオンデマンドコンテンツを同一画面で合成表示するための、合成手段より構成される。
【発明の効果】
【０００７】
以上のような構成により、本発明のデータ処理装置によれば、視聴履歴保存用のメモリなしで、ユーザー自らが膨大なコンテンツを検索することなく、コンテンツ一覧表示時にユーザー自らが録画した今興味を持っているコンテンツと一緒に、それらに密接に関連したビデオオンデマンドコンテンツを推薦表示することができる。録画したコンテンツが入れ替われば、キーワードも変化して推薦コンテンツも変化するので、毎回同じコンテンツを推薦してしまうこともない。録画コンテンツと同一画面に一覧表示され、録画したコンテンツを再生するのと同じ手順で容易にビデオオンデマンドコンテンツを視聴できるので、ビデオオンデマンドコンテンツの利用も促進可能である。
【発明を実施するための最良の形態】
【０００８】
以下に、本発明の実施の形態について、図面を参照しながら説明する。
【０００９】
（実施の形態１）
図１は、本発明の実施の形態１におけるデータ処理装置（録画再生装置）のブロック図である。
【００１０】
録画再生装置１０１において、コンテンツ一覧を表示しようとした場合に、抽出手段としての録画コンテンツ管理部１０２は、蓄積手段としての録画コンテンツ記憶部１０３の録画コンテンツを調査する。録画コンテンツのチャンネル、録画開始・終了日時情報と、あらかじめ設定しておいた地域情報からキーワードとしてのリスト（録画チャンネル一覧）を作成して、通信手段としての通信部１０４を通して、サーバー手段としての放送番組データベースサーバー１０５に送信する。放送番組データベースサーバーは、それらのリストのデータで放送番組データベースを検索して、一致する番組に関する情報（タイトル・サブタイトル・回数情報［全ｍ回中の第ｎ回］・出演者情報・ジャンル情報）のリスト（録画コンテンツタイトル一覧）を作成し、通信部１０４に返信する。なお、放送番組データベースには、ドラマなど見る順番が決まっているコンテンツの並べ替えや、ビデオオンデマンドコンテンツとの合成を容易にするため、全ｍ話中の第ｎ話などの情報を用意しておくものとする。
【００１１】
第２の抽出手段としてのキーワード抽出部１０７は、通信部１０４が取得したリスト（録画コンテンツタイトル一覧）から、キーワードの抽出を行う。キーワードの抽出方法は、コンテンツのジャンル毎に変えることができる。例えばドラマや映画やバラエティ番組の場合は、タイトルそのものや出演者の名前をキーワードにする。スポーツの場合は、タイトルやサブタイトルから、スポーツの競技名やチーム名を抽出してキーワードにする。しかしながらキーワード抽出方法は、これらに限定されないものとする。
【００１２】
通信部１０４は、抽出されたキーワードを第２のサーバー手段としてのビデオオンデマンドサーバー１０８に送信する。ビデオオンデマンドサーバー１０８は、キーワードでビデオオンデマンドコンテンツデータベース１０９を検索して、一致する番組に関する情報（タイトル・サブタイトル・回数情報［全ｍ回中の第ｎ回］・出演者情報・ジャンル情報）のリスト（関連ＶＯＤコンテンツタイトル一覧）を作成し、通信部１０４に返信する。なお、ＶＯＤはビデオオンデマンドの省略形とする。通信部１０４は、以前に受信した録画コンテンツタイトル一覧と今回受信した関連ＶＯＤコンテンツタイトル一覧を除去手段としての重複コンテンツ除去部１１０に渡す。重複コンテンツ除去部１１０は、関連ＶＯＤコンテンツタイトル一覧の中で録画コンテンツタイトル一覧と同一のものを除去する。例えば、ドラマなどの場合は同一タイトルで回数情報［全ｍ回中の第ｎ回］が同一のものや、サブタイトルまで同一のものは除去することが可能である。こうして作成されたリストを推薦ＶＯＤコンテンツタイトル一覧と呼び、合成手段としてのコンテンツ一覧合成部１１１に渡す。
【００１３】
コンテンツ一覧合成部１１１は、通信部１０４から渡された録画コンテンツタイトル一覧と、重複コンテンツ除去部１１０から渡された推薦ＶＯＤコンテンツタイトル一覧を合成して、合成コンテンツタイトル一覧を作成して、表示部１１２に渡す。コンテンツ一覧の合成方法は例えば、両方のリストを単純に足し合わせた後に、まずジャンルでソートし、同一ジャンル内はタイトル名でソートし、同一タイトル内は回数情報でソートすることにより合成する。しかしながら、合成方法はこれに限定されないものとする。こうして作成された合成コンテンツタイトル一覧を、表示部１１２で表示する。表示部１１２は例えばテレビやモニタである。
【００１４】
図２は以上のような実施の形態１のブロック図に、受け渡されるデータの中身を具体的に例示することでわかりやすく説明したものである。録画コンテンツ管理部１０２では、録画チャンネル一覧２０１のデータしかなく、チャンネルや開始終了日時などしかわからない。しかしながら、この録画チャンネル一覧２０１のデータで放送番組データベース１０６を検索することによって、録画コンテンツタイトル一覧２０２を得ることができ、「ドラマＡ」の全４話中の第１話、第３話であることがわかるようになる。さらに、キーワード「ドラマＡ」でビデオオンデマンドコンテンツデータベース１０９を検索することにより、ＶＯＤサーバーより全４話分の関連ＶＯＤコンテンツ一覧２０３を得る。重複コンテンツ除去部によって、重複する「ドラマＡ」の全４話中の第１話、第３話を除去して第２話、第４話を推薦ＶＯＤコンテンツ一覧２０４として、コンテンツ合成部１１１に渡す。コンテンツ一覧合成部では、録画コンテンツタイトル一覧２０２と推薦ＶＯＤコンテンツタイトル一覧２０４を単純に追加した後にソートすることにより、合成コンテンツタイトル一覧２０５を作成し、「ドラマＡ」の第１話、第２話、第３話、第４話をこの順番で一覧表示することが可能となる。
【００１５】
上記説明では、放送番組データベースサーバー１０５とビデオオンデマンドサーバー１０８を別々に存在するように説明したが、図３のように同一サーバー上に両機能を実現して放送番組データベース兼ビデオオンデマンドサーバー３０１として実装することも可能である。このような録画再生装置は、例えばＤＶＤレコーダー、ハードディスクレコーダー、ビデオデッキ、テレビチューナーを内蔵したパーソナルコンピュータや、パーソナルコンピュータのソフトウェアでの実装を想定しているが、これらに限定されないものとする。
【００１６】
（実施の形態２）
図４は、本発明の実施の形態２におけるデータ処理装置（録画再生装置）のブロック図である。図４において、図１と同一の構成要素は同じ番号を用いて説明を省くものとする。
【００１７】
録画再生装置１０１において、コンテンツを録画予約する時又は録画する時に、電子番組表管理手段としての電子番組表管理部４０１から、録画コンテンツに関する情報（録画コンテンツタイトル情報）を取得して、蓄積手段としての録画コンテンツ記憶部１０３に記録しておく。
【００１８】
録画再生装置１０１においてコンテンツ一覧を表示しようとした場合に、録画コンテンツ管理部１０２は、蓄積手段としての録画コンテンツ記憶部１０３の録画コンテンツを調査する。あらかじめ記録しておいた録画コンテンツタイトル情報からリスト（録画コンテンツタイトル一覧）を作成して、抽出手段としてのキーワード抽出部１０７に渡す。
【００１９】
キーワード抽出部１０７は、録画コンテンツ管理部１０２が作成したリスト（録画コンテンツタイトル一覧）から、キーワードの抽出を行う。キーワードの抽出方法は、コンテンツのジャンル毎に変えることができる。例えばドラマや映画やバラエティ番組の場合は、タイトルそのものや出演者の名前をキーワードにする。スポーツの場合は、タイトルやサブタイトルから、スポーツの競技名やチーム名を抽出してキーワードにする。しかしながら、キーワード抽出方法はこれらに限定されないものとする。
【００２０】
通信部１０４は、抽出されたキーワードをサーバー手段としてのビデオオンデマンドサーバー１０８に送信する。ビデオオンデマンドサーバー１０８は、キーワードでビデオオンデマンドコンテンツデータベース１０９を検索して、一致する番組に関する情報（タイトル・サブタイトル・回数情報［全ｍ回中の第ｎ回］・出演者情報・ジャンル情報）のリスト（関連ＶＯＤコンテンツタイトル一覧）を作成し、通信部１０４に返信する。通信部１０４は、関連ＶＯＤコンテンツタイトル一覧を除去手段としての重複コンテンツ除去部１１０に渡す。録画コンテンツ管理部１０２も、録画コンテンツタイトル一覧を重複コンテンツ除去部１１０に渡す。
【００２１】
重複コンテンツ除去部１１０は、関連ＶＯＤコンテンツタイトル一覧の中で録画コンテンツタイトル一覧と同一のものを除去する。例えば、ドラマなどの場合は同一タイトルで回数情報［全ｍ回中の第ｎ回］が同一のものや、サブタイトルまで同一のものは除去することが可能である。こうして作成されたリストを推薦ＶＯＤコンテンツタイトル一覧と呼び、合成手段としてのコンテンツ一覧合成部１１１に渡す。
【００２２】
コンテンツ一覧合成部１１１は、録画コンテンツ管理部１０２から渡された録画コンテンツタイトル一覧と、重複コンテンツ除去部１１０から渡された推薦ＶＯＤコンテンツタイトル一覧を合成して、合成コンテンツタイトル一覧を作成して、表示部１１２に渡す。コンテンツ一覧の合成方法は例えば、両方のリストを単純に足し合わせた後に、まずジャンルでソートし、同一ジャンル内はタイトル名でソートし、同一タイトル内は回数情報でソートすることにより合成する。しかしながらコンテンツ合成方法は、これに限定されない。
【００２３】
こうして作成された合成コンテンツタイトル一覧は、表示部１１２で表示する。表示部１１２は例えばテレビやモニタである。
【００２４】
なお、実施の形態１，２において、蓄積手段に記録された情報は録画コンテンツであり、サーバーから取得する情報はビデオオンデマンドの情報としたが、これに限定されるものではなく、例えば、蓄積手段に記録された情報は所有する音楽コンテンツの情報であり、サーバーから取得する情報は音楽配信コンテンツの情報である場合や、蓄積手段に記録された情報は所有する書籍コンテンツの情報であり、サーバーから取得する情報は配信可能な書籍コンテンツの情報であっても良い。
【産業上の利用可能性】
【００２５】
本発明にかかるデータ処理装置（録画再生装置）は、使用者が録画したコンテンツに関連したビデオオンデマンドコンテンツを自動的に推薦することが可能で、録画したコンテンツと同様にビデオオンデマンドコンテンツを容易に視聴でき、ビデオオンデマンドコンテンツの利用を促進可能である。ビデオデッキ、ＤＶＤレコーダーや、ハードディスクレコーダーや、テレビチューナーを内蔵したパーソナルコンピュータや、パーソナルコンピュータ用のソフトウェアに有用である。
【図面の簡単な説明】
【００２６】
【図１】本発明の実施の形態１における録画再生装置のブロック図
【図２】本発明の実施の形態１における録画再生装置のブロック図にデータの具体例を示した図
【図３】本発明の実施の形態１においてサーバーが１台の場合の録画再生装置のブロック図
【図４】本発明の実施の形態２における録画再生装置のブロック図
【図５】従来の推薦コンテンツ表示装置のブロック図
【符号の説明】
【００２７】
１０１    録画再生装置
１０２    録画コンテンツ管理部
１０３    録画コンテンツ記憶部
１０４    通信部
１０５    放送番組データベースサーバー
１０６    放送番組データベース
１０７    キーワード抽出部
１０８    ビデオオンデマンドサーバー
１０９    ビデオオンデマンドコンテンツデータベース
１１０    重複コンテンツ除去部
１１１    コンテンツ一覧合成部
１１２    表示部
２０１    録画チャンネル一覧
２０２    録画コンテンツタイトル一覧
２０３    関連ビデオオンデマンドコンテンツ一覧
２０４    推薦ビデオオンデマンドコンテンツ一覧
２０５    合成コンテンツタイトル一覧
３０１    放送番組データベース兼ビデオオンデマンドサーバー
４０１    電子番組表管理部
５０１    外部記憶媒体
５０２    番組情報入力部
５０３    嗜好分析推薦情報生成部
５０４    推薦情報表示部
【図１】
2007124465.tif 000003
【図２】
2007124465.tif 000004
【図３】
2007124465.tif 000005
【図４】
2007124465.tif 000006
【図５】
2007124465.tif 000007